(57)【要約】      （修正有）【課題】エネルギー節約の充放電功能を有し、携帯使用に便利な風力発電装置を提供する。【解決手段】本考案は風力発電装置を提供し、本装置は、ファン、発電機構、主充電池、サブ充電池、及び、補助駆動機構、からなる。上述の装置は、正常状態下で、風力によりファン回転を推動して、発電機構を駆動して、エネルギーを生成すると同時に、主、サブ充電池を充電し、主充電池により製品に必要な電力を提供する。ファンが静風モードで、且つ、主充電池がフル充電状態でない時、サブ充電池により補助駆動機構に必要な電力を供給し、発電機構に電力を継続して生成させ、エネルギー節約と携帯使用に便利な効果を達成する。【選択図】図１
0003123346.tif 000002
【実用新案登録請求の範囲】
【請求項１】
風力発電装置であって、ファン、発電機構、主充電池、サブ充電池、及び、補助駆動機構、からなり、その特徴は、前記発電機構は、ハウジング、回転軸、磁石、コイルからなり、前記回転軸の回転により、前記磁石と前記コイルが相対運動して、電磁感応により電流を生成し、前記ファンは、前記回転軸が前記ハウジングから枢出する一端に固定され、風力により前記ファン回転を推動して、前記発電機構を駆動させ、前記主、サブ充電池は、前記発電機構の前記コイルと電気的に接続され、前記発電機構により充電を実行すると共に、前記主充電池により電気製品に必要な電力を提供し、前記補助駆動装置は、少なくとも、前記サブ充電池と電気的に接続されるモーター、及び、モーター動力により、前記発電機構を駆動する回転軸転動の伝動素子、を有し、ファンが回転能力を有さず、且つ、前記主充電池がフル充電状態でない時、サブ充電池により電力を提供することができ、前記補助駆動機構により前記発電機構を駆動して充電を実行することを特徴とする風力発電装置。
【請求項２】
前記補助駆動機構の伝動素子は、それぞれ、前記モーター軸心と前記発電機構の回転軸に設置されるギアユニットを有し、前記モーターと接続するギア間に、単方向ベアリングを有することを特徴とする請求項1に記載の風力発電装置。
【請求項３】
前記発電機構の回転軸上に、更に、受動ギアを有し、前記回転軸の径方向位置にレバーを設置し、前記レバー上に、前記受動ギアと接続する伝動ギアを有し、且つ、前記伝動ギアと前記レバー間に単方向ベアリングを設置することを特徴とする請求項1に記載の風力発電装置。
【考案の詳細な説明】
【技術分野】
【０００１】
本考案は風力発電装置に関し、詳細には、エネルギーを節約する充放電功能を有し、携帯使用に便利な風力発電装置に関する。
【背景技術】
【０００２】
通信、仕事、娯楽方面での要求により、携帯電話、PDA,MP３、デジタルカメラ、小型照明灯等の電化製品は、経常的に使用されるものとなり、前述の製品の電力源は、主に、充電池により供給され、充電池が空になると、室内の電源プラグを利用して充電する。これは、エネルギー消耗の大きな負担である。
【０００３】
また、製品は小型軽薄化の趨勢にあり、一般の充電池の蓄電量が提供できる使用時間は限度があり、外出途中で電力を消耗しきることがよく発生する。また、随時、充電できる環境にない場合もある。現在は、予備電池を携帯してこの問題が生じないようにしているが、電池の充電を忘れたり、充電時は、コンセントプラグがある室内に限られるので、非常に不便である。
【０００４】
風力発電の運用技術中、公知技術は、風力によりファン回転を推動して、発電モーターに電力を生成させ、生成された電力を充電池に充電するものである。この公知の風力発電装置は、エネルギー節約の充放電効果を有するが、風力発電装置が静風モードにあり、且つ、充電池の蓄電量が不足である時、その風力充放電効果を発揮することができず、使用者にとって、即時性の充電効果が獲得できず、却って、外出時の携帯が負担となる。よって、公知の風力発電装置技術は、室外の固定場所での発電用途に限られ、直接、携帯して充放電するのには適さない。
【０００５】
よって、エネルギーを節約し、携帯にも便利な風力発電装置を提供し、公知技術の問題を解決することが望まれる。
【考案の開示】
【考案が解決しようとする課題】
【０００６】
本考案は、エネルギー節約の充放電功能を有し、携帯使用に便利な風力発電装置を提供することを目的とする。  
【課題を解決するための手段】
【０００７】
上述の目的を達成するため、本考案の風力発電装置は、ファン、発電機構、主充電池、サブ充電池、及び、補助駆動機構、からなる。発電機構は、ハウジング、回転軸、磁石、コイルからなり、回転軸の回転により、磁石とコイルが相対運動して、電磁感応により電流を生成する。ファンは、回転軸がハウジングから枢出する一端に固定され、風力によりファン回転を推動して、発電機構を駆動する。主、サブ充電池は、発電機構のコイルと電気的に接続され、発電機構により充電を実行すると共に、主充電池により電気製品に必要な電力を提供する。補助駆動装置は、少なくとも、サブ充電池と電気的に接続されるモーター、及び、モーター動力により、発電機構を駆動する回転軸転動の伝動素子、を有する。
【０００８】
上述の風力発電装置は、風力がある状態下で、風力によりファン回転を推動するエネルギーにより発電機構に電流の生成を持続させ、主、サブ充電池を充電し、主充電池により必要な電力を電気製品に提供するもので、エネルギー節約の充放電目的と効果を達成する。風力発電装置が静風モードで、且つ、主充電池がフル充電状態でない時、サブ充電池により電力を供給し、補助駆動機構により発電機構を作動させ、主充電池がフル充電状態になるよう維持し、携帯使用に便利な充放電目的と効果を達成する。
【考案の効果】
【０００９】
本考案により、エネルギー節約の充放電功能を有し、携帯使用に便利な風力発電装置が提供される。
【考案を実施するための最良の形態】
【００１０】
図１、図２を参照すると、本考案の風力発電装置の配置状態が示され、その構造は、主に、ファン１０、発電機構２０、主充電池３０、サブ充電池４０、及び、補助駆動機構５０、からなる。
【００１１】
発電機構２０は、ハウジング２１、回転軸２２、磁石２３、コイル２４からなり、回転軸２２は、軸体一端が枢出したベアリングがハウジング２０内の軸線位置にあり、コイル２４は回転軸２２の回転に影響しないようにハウジング２０内部に固定される。磁石２３は、ハウジング２１内で自由に回転できる状態で、回転軸２２上に設置され、回転軸２２が回転するとき、ハウジング内の磁石２３とコイル２４が相対運動し、電磁感応の原理により、コイル２４両端は電流を生成する。
【００１２】
ファン１０は、回転軸２２がハウジングから枢出する一端に固定され、風力によりファン１０の回転を推動して、発電機構２０を駆動する。
【００１３】
主、サブ充電池３０、４０は、発電機構のコイル２４と電気的に接続され、発電機構２０により充電を実行する。
【００１４】
補助駆動機構５０は、発電機構２０の一側に設置され、少なくとも、モーター５１、及び、伝動素子５２を有し、モーター５１はサブ充電池４０と電気的に接続され、伝動素子５２は、モーター５１軸心と発電機構の回転軸２２に設置されるギアユニット（或いは、一般のベルト伝動素子）で、モーター５１軸心上のギアは、単方向ベアリング５３により定位し、サブ充電地４０によりモーター５１に必要な電力を提供する。伝動素子５２により発電機構の回転軸２２を駆動して回転させ、また、風力がファン１０を推動するエネルギーが回転軸２２を回転させる動作に影響しない。
【００１５】
上述の風力発電装置は、実施時、風がある状態下で、ファン１０の回転により発電機構２０を駆動させて電流を持続生成させ、整流器（ａ）により、主、サブ充電池３０、４０を充電し、主充電池３０により、製品６０に必要な電力を充電し、製品６０は、主充電池３０と電気的に接続される製品で、エネルギー節約の充放電目的を達成する。風力発電装置が静風モードにあり、且つ、主充電池３０がフル充電状態でない時、サブ充電池４０により電力を供給し、補助駆動機構５０により発電機構２０に発電と充電作業を行わせ、主充電池３０がフル充電状態になるよう維持し、携帯使用に便利な充放電目的と効果を達成する。
【００１６】
図３は、本考案の風力発電装置のもう一つの実施形態を示す図で、発電機構２０の回転軸２２上に、更に、受動ギア５５を設置し、レバー５４上の伝動ギア５６と接続し、伝動ギア５６は単方向のベアリング５７により、レバー５４に結合され、主、サブ充電池３０、４０が充電量不足の時、レバー５４により発電機構２０を駆動して充電を実施し、また、ファン１０のエネルギーによる回転軸２２の回転に影響しない。
【００１７】
本考案の風力発電装置の技術説明中、注意すべきことは、図１、図４で示されるように、ファン１０、発電機構２０、主、サブ充電池３０、４０、及び、補助駆動機構５０は、少なくとも、ファン１０を露出する外ケース７０を一体設置してもよく、携帯、放置、通風箇所への固定が便利である。主充電池３０の給電方式は、穏圧回路（ｂ）により、直接、発光素子６１と電気的に接続して照明功能を提供するか、或いは、電源プラグ（ｃ）により電力を提供する形態であり、携帯電話、ＰＤＡ、ＭＰ３、デジタルカメラ、電動髭剃り等の携帯型製品の充電が便利である。
【図面の簡単な説明】
【００１８】
【図１】本考案の風力発電装置の配置実施例を示す図である。
【図２】本考案の風力発電装置の工程図である。
【図３】本考案の風力発電装置のもう一つの実施例を示す図である。
【図４】本考案の風力発電装置を携帯応用した状態を示す図である。
【符号の説明】
【００１９】
１０…ファン
２０…発電機構
２１…ハウジング
２２…回転軸
２３…磁石
２４…コイル
３０…主充電池
４０…サブ充電池
５１…モーター
５２…電動素子
５３…単方向ベアリング
５４…レバー
５５…受動ギア
５６…伝動ギア
５７…単方向ベアリング
６０…製品
６１…発光素子
７０…外ケース
（ａ）…整流器
（ｂ）…穏圧回路
（ｃ）…プラグ
【図１】
0003123346.tif 000003
【図２】
0003123346.tif 000004
【図３】
0003123346.tif 000005
【図４】
0003123346.tif 000006